(57)【要約】【課題】仮想オブジェクトの所有権を管理するためのインタラクティブプラットフォームである。【解決手段】本プラットフォームは、処理ユニットおよびプログラムコードを保管するためのストレージユニットを含む。プログラムコードは、処理ユニットに対して、ブロックチェーン方法を使用するステップであり、第１所有者が前記仮想オブジェクトをインタラクティブプラットフォームにおいて提供した後で前記仮想オブジェクトを暗号化するステップと、ブロックチェーン方法を使用するステップであり、インタラクティブプラットフォームにおいて仮想オブジェクトの所有権が変更されたときに仮想オブジェクトを暗号化するステップと、を実行するように指示する。ここで、仮想オブジェクトに対応しているブロックチェーンは、仮想オブジェクトを所有してきた少なくとも１人のユーザによって形成される。【選択図】  図１
2020052990.tif 000002
【特許請求の範囲】
【請求項１】
インタラクティブプラットフォームにおいて仮想オブジェクトの所有権を管理する方法であって、
ブロックチェーン方法を使用するステップであり、第１所有者が前記仮想オブジェクトを前記インタラクティブプラットフォームにおいて提供した後で前記仮想オブジェクトを暗号化する、ステップと、
ブロックチェーン方法を使用するステップであり、前記インタラクティブプラットフォームにおいて前記仮想オブジェクトの前記所有権が変更されたときに前記仮想オブジェクトを暗号化する、ステップと、を含み、
前記仮想オブジェクトに対応しているブロックチェーンは、前記仮想オブジェクトを所有してきた少なくとも１人のユーザによって形成される、
方法。
【請求項２】
前記インタラクティブプラットフォームは、仮想現実プラットフォームまたは拡張現実プラットフォームである、
請求項１に記載の方法。
【請求項３】
前記仮想オブジェクトは、前記インタラクティブプラットフォームの中のビデオ、ポスト、イメージ、または、サウンドトラックであり、かつ、
前記仮想オブジェクトの所有者は、前記インタラクティブプラットフォームを通じて前記仮想オブジェクトのコンテンツを獲得する、
請求項１に記載の方法。
【請求項４】
前記ブロックチェーン方法を使用するステップであり、前記インタラクティブプラットフォームにおいて前記仮想オブジェクトの前記所有権が変更されたときに前記仮想オブジェクトを暗号化する、前記ステップは、
前記仮想オブジェクトの所有者によって暗号化された、暗号化されているリクエストを、前記インタラクティブプラットフォームに対して送信するステップと、
前記リクエストを、前記インタラクティブプラットフォームによって、前記仮想オブジェクトに対応している前記ブロックチェーンに対して転送するステップと、
前記リクエストを、前記仮想オブジェクトに対応している前記ブロックチェーンによって、復号化するステップであり、前記ブロックチェーン方法に従って、対応している前記仮想オブジェクトおよび前記所有者の正当性を検証する、ステップと、
を含む、
請求項１に記載の方法。
【請求項５】
対応している前記仮想オブジェクトおよび前記所有者の正当性が検証された場合に、
前記仮想オブジェクトに対応している前記ブロックチェーンが更新され、かつ、
第２所有者が前記仮想オブジェクトの前記所有権を有する、
請求項４に記載の方法。
【請求項６】
仮想オブジェクトの所有権を管理するためのインタラクティブプラットフォームであって、
処理ユニットと、
プログラムコードを保管するためのストレージユニットと、を含み、
前記プログラムコードは、前記処理ユニットに対して、
ブロックチェーン方法を使用するステップであり、第１所有者が前記仮想オブジェクトを前記インタラクティブプラットフォームにおいて提供した後で前記仮想オブジェクトを暗号化する、ステップと、
ブロックチェーン方法を使用するステップであり、前記インタラクティブプラットフォームにおいて前記仮想オブジェクトの前記所有権が変更されたときに前記仮想オブジェクトを暗号化する、ステップと、
を実行するように指示し、
前記仮想オブジェクトに対応しているブロックチェーンは、前記仮想オブジェクトを所有してきた少なくとも１人のユーザによって形成される、
インタラクティブプラットフォーム。
【請求項７】
前記インタラクティブプラットフォームは、仮想現実プラットフォームまたは拡張現実プラットフォームである、
請求項６に記載のインタラクティブプラットフォーム。
【請求項８】
前記仮想オブジェクトは、前記インタラクティブプラットフォームの中のビデオ、ポスト、イメージ、または、サウンドトラックであり、かつ、
前記仮想オブジェクトの所有者は、前記インタラクティブプラットフォームを通じて前記仮想オブジェクトのコンテンツを獲得する、
請求項６に記載のインタラクティブプラットフォーム。
【請求項９】
前記プログラムコードは、前記インタラクティブプラットフォームにおいて前記仮想オブジェクトの前記所有権が変更されたときに前記仮想オブジェクトを暗号化するために、前記処理ユニットに対して、さらに、
前記仮想オブジェクトの所有者によって暗号化された、暗号化されているリクエストを、前記インタラクティブプラットフォームに対して送信するステップと、
前記リクエストを、前記インタラクティブプラットフォームによって、前記仮想オブジェクトに対応している前記ブロックチェーンに対して転送するステップと、
前記リクエストを、前記仮想オブジェクトに対応している前記ブロックチェーンによって、復号化するステップであり、前記ブロックチェーン方法に従って、対応している前記仮想オブジェクトおよび前記所有者の正当性を検証する、ステップと、
を実行するように指示する、
請求項６に記載のインタラクティブプラットフォーム。
【請求項１０】
対応している前記仮想オブジェクトおよび前記所有者の正当性が検証された場合に、
前記仮想オブジェクトに対応している前記ブロックチェーンが更新され、かつ、
第２所有者が前記仮想オブジェクトの前記所有権を有する、
請求項９に記載のインタラクティブプラットフォーム。
【発明の詳細な説明】
【技術分野】
【０００１】
本発明は、仮想オブジェクトの所有権管理方法および関連するインタラクティブプラットフォームに関する。そして、より特定的には、ブロックチェーン方法に従って仮想オブジェクトの所有権を管理することができる方法および関連するインタラクティブプラットフォームに関する。
【背景技術】
【０００２】
創作者（creator）の知的財産権（intellectual  property）に係るプライバシは、市場経済の発展を妨げる最も重要な理由のうちの一つである。創作が容易に口に出され得るといった環境の下では、創作者は、創作し、または、彼／彼女の創作を公開する気が失われてしまう。プライバシを予防するために、従来技術においては物理的オブジェクトについて、取引の確実性を顧客（customer）が容易に見分けることができるように、様々な種類の検証（verification）が適用されている。
【０００３】
仮想オブジェクト（音楽、文学、ビデオ、プログラム、等といったもの）に関しては、その利便性および容易なアクセスのために、より人気になってきており、そうして、顧客は、仮想オブジェクトをストレージデバイスの中に購入し、そして、ポータブルデバイスを通して獲得することができる。しかしながら、仮想オブジェクトの利便性および容易なアクセスの特性は、また、仮想オブジェクトに対する知的財産権の保護の質を低下させている。仮想オブジェクトのプライバシは氾濫されており、そして、仮想オブジェクトの知的財産権は効果的に保護することができないので、結果として、創作者が、創作し、または、彼／彼女の創作を公開する気を失わせている。このように、仮想オブジェクトの知的財産権の保護の欠如のせいで、従来技術について改善の必要性が存在している。
【発明の概要】
【発明が解決しようとする課題】
【０００４】
従って、従来技術について改善するために、仮想オブジェクトの正当性（validity）を検証し、かつ、所有者の所有権を管理することができる方法、および、関連するインタラクティブプラットフォームを提供することが、本発明の主要な目的である。
【課題を解決するための手段】
【０００５】
本発明は、インタラクティブプラットフォームにおいて仮想オブジェクトの所有権を管理する方法を開示する。本方法は、ブロックチェーン方法を使用するステップであり、第１所有者（first  owner）が仮想オブジェクトをインタラクティブプラットフォームにおいて提供した後で仮想オブジェクトを暗号化するステップ、および、ブロックチェーン方法を使用するステップであり、インタラクティブプラットフォームにおいて仮想オブジェクトの所有権が変更されたときに仮想オブジェクトを暗号化するステップを含む。ここで、仮想オブジェクトに対応しているブロックチェーンは、仮想オブジェクトを所有してきた少なくとも１人のユーザによって形成される。
【０００６】
本発明は、さらに、仮想オブジェクトの所有権を管理するためのインタラクティブプラットフォームを開示する。本インタラクティブプラットフォームは、処理ユニットおよびプログラムコードを保管するためのストレージユニットを含む。プログラムコードは、処理ユニットに対して、ブロックチェーン方法を使用するステップであり、第１所有者が仮想オブジェクトを前記インタラクティブプラットフォームにおいて提供した後で仮想オブジェクトを暗号化するステップ、および、ブロックチェーン方法を使用するステップであり、インタラクティブプラットフォームにおいて仮想オブジェクトの所有権が変更されたときに仮想オブジェクトを暗号化するステップ、を実行するように指示する。ここで、仮想オブジェクトに対応しているブロックチェーンは、仮想オブジェクトを所有してきた少なくとも１人のユーザによって形成される。
【０００７】
本発明に係るこれら及び他の目的は、様々な図および図面において説明される好ましい実施形態に係る以降の詳細説明を読んだ後に、疑いもなく当業者にとって明白になるであろう。
【図面の簡単な説明】
【０００８】
【図１】図１は、本発明の一つの実施形態に従った、インタラクティブプラットフォームの模式的なダイヤグラムである。
【図２】図２は、詳細な説明に従った、プロセスの模式的なダイヤグラムである。
【発明を実施するための形態】
【０００９】
図１を参照すると、図１は、本発明の一つの実施形態に従った、インタラクティブプラットフォーム10の模式的なダイヤグラムである。インタラクティブプラットフォーム10は、仮想オブジェクトを創作し、かつ、交換するユーザのための仮想現実（VR)プラットフォームまたは拡張現実（AR）プラットフォームである。さらに、インタラクティブプラットフォーム10は、ユーザの知的財産権をプライバシから保護することができる。仮想オブジェクトに対する所有権管理に対する徹底的な暗号化を通じて、インタラクティブプラットフォーム10は、仮想オブジェクトを違法な複製（duplication）から保護することができる。
【００１０】
より特定的に、インタラクティブプラットフォーム10のユーザは、プラットフォームの中で仮想オブジェクトを創作し、または、提供することができ、別のユーザに対して仮想オブジェクトを取引し、交換し、または、寄付する。ユーザは、仮想オブジェクトの所有権を処理した後で、仮想オブジェクトのコンテンツを獲得し得る。別の言葉で言えば、ユーザは、取引、交換、または、移転の受入れを通じて仮想オブジェクトを所有することができ、そして、仮想オブジェクトを所有するユーザは、リンクされたデバイスを通じて、または、VR／ARデバイスを通じたVR／AR環境の下で、仮想オブジェクトのコンテンツを見る、読む、または聞くことができる。例えば、仮想オブジェクトは、ポスト（post）、イメージ、ビデオ、サウンドトラック、またはｅブック（e-book）であってよく、そして、所有者は、VR／ARデバイスを通じて仮想オブジェクトのコンテンツを獲得することができる。別の実施例においては、仮想オブジェクトがVR／ARゲームである場合に、ユーザは、VR／AR環境の中に彼自身／彼女自身を没入させ（immerse）、そして、ゲームを楽しむことができる。特に、インタラクティブプラットフォーム10は、さらに、仮想オブジェクトに係る全部の所有権（complete  ownership）を記録し、そうして、インタラクティブプラットフォーム10においてプライバシをさらに回避するように、以前に仮想オブジェクトを所有していた全てのユーザをトレースすることができる。従って、インタラクティブプラットフォーム10における仮想オブジェクトに対する徹底的な暗号化および所有権管理を通じて、インタラクティブプラットフォーム10上でのプライバシは、効果的に回避することができ、そして、さらに、顧客体験を改善することができる。
【００１１】
図１に示されるように、インタラクティブプラットフォームは、処理ユニット100およびストレージユニット102を含んでいる。処理ユニット100は、仮想オブジェクトの所有権を暗号化し、かつ、管理し得る。プログラムコード1020、ストレージユニット102の中に保管されているものは、プロセスのステップを実行するよう、処理ユニット100に指示するように構成されている。処理ユニット100は、マイクロプロセッサ、または、特定用途向け集積回路（ASIC）であってよい。ストレージユニット102は、読出し専用メモリ（ROM）、ランダムアクセスメモリ(RAM）、不揮発性メモリ（例えば、電気的に消去できるプログラム可能な読出し専用メモリ（EEPROM）またはフラッシュメモリ）、CD-ROM、磁気テープ、フロッピー（登録商標）ディスク、光データストレージデバイス、等であってよく、そして、これらに限定されるものではない。
【００１２】
インタラクティブプラットフォーム10のユーザが、仮想オブジェクトをインタラクティブプラットフォーム10を通じてアップロードまたは提供するときに、インタラクティブプラットフォーム10は、その仮想オブジェクトを暗号化し、かつ、その所有者を仮想オブジェクトの第１所有者として主張（claim）する。取引、交換、または寄付、等を通じて仮想オブジェクトの所有権が変更されたときに、インタラクティブプラットフォーム10は、仮想オブジェクトの正当性および仮想オブジェクトの所有権を検証する。さらに、インタラクティブプラットフォーム10のユーザは、仮想オブジェクトのタイプに応じて、様々なやり方で仮想オブジェクトを創作することができる。つまり、一旦、ユーザによってインタラクティブプラットフォーム10の中で仮想オブジェクトが創作されると、プロセッサ10は、仮想オブジェクトを暗号化し、そして、ストレージユニット102の中に保管されているプログラムコードのインストラクションに従って、仮想オブジェクトの所有権を管理する。
【００１３】
詳細には、仮想オブジェクトは、処理ユニット100によってブロックチェーン方法に従って暗号化される。一旦、ユーザによって仮想オブジェクトが創作されると、処理ユニット100は、仮想オブジェクトを暗号化し、そして、仮想オブジェクトの所有権を管理するために、そのユーザを仮想オブジェクトの第１所有者として主張する。所有権は、インタラクティブプラットフォーム10ではなく、むしろ、ユーザによって保管されることに留意する。インタラクティブプラットフォーム10のユーザは、ユーザが今まで所有してきた全ての仮想オブジェクトについて全部の記録を保持する。従って、仮想オブジェクトは、それを所有してきたインタラクティブプラットフォーム10の全てのユーザによって記録され得る。さらに、仮想オブジェクトを今まで所有してきた全てのユーザは、現在の所有者を含んでいる、仮想オブジェクトに対応するブロックチェーン（または分散型台帳（distributed  ledger））を一緒に形成することができる。仮想オブジェクトの所有権が、仮想オブジェクトに対応しているブロックチェーンによって、分散化され、かつ、保管され得るようにである。特に、インタラクティブプラットフォーム10の全てのユーザは、暗号化および復号化のための秘密鍵（private  key）および公開鍵（public  key）を所有している。仮想オブジェクトの現在の所有者が所有権を変更、例えば仮想オブジェクトの取引または寄付、しようとする場合、秘密鍵によって暗号化され、かつ、トランザクションに対応している、暗号化されているリクエストまたはデジタル署名が、現在のユーザによって生成され、そして、インタラクティブプラットフォーム10を通じてブロックチェーンに対して送信されることになる。暗号化されたリクエストは、その仮想オブジェクトを所有していたユーザによって所有された、一致する公開鍵によってのみ復号化され得る。リクエストは、仮想オブジェクトのトランザクション情報によって変更され得るものであり、リクエストを改ざんする（faking）困難性をさらに増加させている。仮想オブジェクトに対応しているブロックチェーンによってリクエストが復号化された後で、仮想オブジェクトに対応しているブロックチェーンは、次いで、仮想オブジェクトおよび所有権の正当性を検証する。一旦、仮想オブジェクトおよび現在のユーザの所有権が、仮想オブジェクトに対応しているブロックチェーンによって検証されると、トランザクションが直ちに有効になり、仮想オブジェクトに対応しているブロックチェーンによって保管されている仮想オブジェクトの所有権を上書き（overwrite）する。現在の所有者および新たな所有者を含むものである。従って、仮想オブジェクトを所有してきた全てのユーザによって形成されるブロックチェーンにより、仮想オブジェクトの所有権記録を改ざんすることは難しく、そして、インタラクティブプラットフォーム10に係る情報セキュリティをさらに改善している。
【００１４】
要するに、ブロックチェーン方法の分散化の特性および消すことのできない台帳を通じて、インタラクティブプラットフォーム10における仮想オブジェクトが良好に暗号化され、かつ、仮想オブジェクトの所有権も、同様に、完全に記録され得る。従って、インタラクティブプラットフォーム10は、ユーザが侵害される（pirated）ことを心配することなく彼／彼女の創作を自由に公開し得るプラットフォームを提供し、さらに、顧客体験（customer  experience）を改善している。
【００１５】
上記の仮想オブジェクトの暗号化および所有権管理に係るオペレーションは、図２に示されるように、プロセス20としてまとめることができる。プロセス20は、プログラムコード1020の中へコンパイルされ、ストレージユニット102において保管され、かつ、以下のステップを含んでよい。
【００１６】
ステップ200：開始。
【００１７】
ステップ202：第１所有者がインタラクティブプラットフォーム10において仮想オブジェクトを提供した後で、ブロックチェーン方法を使用して仮想オブジェクトを暗号化する。
【００１８】
ステップ204：仮想オブジェクトの所有権がインタラクティブプラットフォーム10において変更されたときに、ブロックチェーン方法を使用して仮想オブジェクトを暗号化する。
【００１９】
ステップ206：終了。
【００２０】
プロセス20の詳細は、上記を参照することができ、ここにおいては延べられない。
【００２１】
一つの実施形態において、インタラクティブプラットフォーム10のユーザは、登録されたユーザであってよく、かつ、ユーザに対応しているユーザアイデンティティ（user  identity）は特定のデバイスに対して結び付けられることに留意する。ここで、インタラクティブプラットフォーム10は、リンクされたデバイスに従ってユーザアイデンティティを特定することができる。さらに、ユーザによって所有されている仮想オブジェクトの所有権は、リンクされたデバイスの中に保管されてよく、かつ、デバイスは、パーソナルコンピュータ、スマートフォン、スマートカメラ、無人航空機、または、VR／ARデバイスであってよい。そして、インタラクティブプラットフォーム10に対して接続するため、かつ、インタラクティブプラットフォーム10において仮想オブジェクトを創作または交換するために、デバイスがユーザによって使用され得る限り、これらに限定されるものではない。さらに、ユーザによって創作される仮想オブジェクトは、VR／ARオブジェクト、VR／ARビデオ、またはVR／ARシーンであってよい。ここで、インタラクティブプラットフォーム10のユーザは、リンクされたデバイスの助けをかりて、仮想オブジェクトを見て、聴いて、そして、触れることができる。
【００２２】
別の実施形態においては、インタラクティブプラットフォーム10にログインするためにユーザが異なるデバイスを使用し得るように、ユーザアイデンティティは、特定のデバイスに対して結び付けられていない。そうした環境の下では、ユーザによって所有されている仮想オブジェクトの所有権は、プラグインストレージデバイス（例えば、フラッシュデバイス、外部ハードドライブ、メモリカード、等）において保管され得る。ここで、ユーザは、プラグインされたプラグインストレージデバイスを伴うデバイスを通じてインタラクティブプラットフォーム10にログインすることができる。従って、ユーザは、プラグインストレージデバイスを通じてインタラクティブにログインすることができ、インタラクティブプラットフォーム10の使用をさらに促進している。
【００２３】
別の態様において、仮想オブジェクトのトランザクションは、交換または寄付に限定されるものではない。ここで、デジタル通貨（digital  current）も、同様に、仮想オブジェクトのトランザクションの中に含まれてよい。つまり、仮想オブジェクトの所有者は、インタラクティブプラットフォーム10において仮想オブジェクトの価格（price）を載せる（list）することができ、そして、別のユーザが、載せられた価格を提供することによって所有権を獲得することができる。そうした環境の下で、ユーザのデジタル通貨は、インタラクティブプラットフォーム10を通じてブロックチェーン方法によって記録され、そして、所有権が変更されるときに検証され得る。インタラクティブプラットフォーム10において、仮想オブジェクトの価値が明確に表現され、そして、トランザクションをさらに簡素化し得るようにである。従って、インタラクティブプラットフォーム10は、仮想オブジェクトおよびデジタル通貨の両方に対する暗号化および所有権管理に係るプラットフォームであり得る。
【００２４】
加えて、インタラクティブプラットフォーム10のトランザクションは、同じプラットフォームからの仮想オブジェクトの交換に限定されるものではなく、そして、インタラクティブプラットフォーム10は、仮想オブジェクトの所有権が完全に記録され得る限りにおいて、異なるプラットフォームから仮想オブジェクトを交換することができる。従って、インタラクティブプラットフォーム10は、異なるプラットフォームから仮想オブジェクトを取引または交換するためのプラットフォームであり得る。
【００２５】
まとめると、インタラクティブプラットフォーム10は、ユーザが没頭する単なるVR／ARプラットフォームではなく、インタラクティブプラットフォームは徹底的な暗号化を通じてユーザの知的財産権を保護することができるので、創作およびコミュニケーションのプラットフォームである。加えて、仮想オブジェクトの所有権は、ブロックチェーン方法の分散化の特性および消すことのできない台帳を通じて、さらに仮想オブジェクトおよび所有者の両方の正当性を提供するために完全に保持され得る。従って、本発明のインタラクティブプラットフォームは、効果的にプライバシを回避することができ、さらに顧客体験を改善している。
【００２６】
従来のオンラインショッピングプラットフォームは、商品の正当性を検証することができず、そして、同様に、顧客は、商品が偽物（fake）であるか否か見分けるのが難しい。創作者は、彼／彼女の創作がプラットフォームにおいて他人によって侵害されるのを防ぐことができない。比較すると、本発明のインタラクティブプラットフォームは、仮想オブジェクトを暗号化することができ、プライバシから回避する。さらに、インタラクティブプラットフォームは、所有してきた全てのユーザを明確に記録し得るように、仮想オブジェクトに係る全部の所有権の記録を保持することができる。ブロックチェーン方法の分散化の特性および消すことのできない台帳を通じて、仮想オブジェクトおよび所有者の両方の正当性が、以前の所有者全員によって検証することができる。インタラクティブプラットフォームが効果的にプライバシを回避することができ、さらに顧客体験を改善するようにである。
【００２７】
当業者であれば、本発明の教示を保持しながら、装置および方法に係る多数の改変および変更が成され得ることを直ちに理解するであろう。従って、上記の開示は、添付の請求項の範囲および境界によってのみ限定されるものであると解釈されるべきである。
【符号の説明】
【００２８】
１０  インタラクティブプラットフォーム
２０  プロセス
１００  処理ユニット
１０２  ストレージユニット
１０２０  プログラムコード
【図１】
2020052990.tif 000003
【図２】
2020052990.tif 000004